(57)【要約】【課題】優れた外観を呈し、かつ、調光率を設定する複数のボリュームを個別に覆うカバーに夫々配設された回転操作部材の操作性を向上できる調光器を提供する。【解決手段】調光器１は、開口窓２ａを有した取付け枠２、回転式のボリューム４，６、カバー１５，１７、回転操作部材２１，２３、及び回転伝動手段３２を具備する。ボリューム４，６を取付け枠２の裏側に取付ける。ボリューム４，６の外形より大きく形成されたカバー１５，１７を、開口窓２ａに対向させてボリューム４，６を個別に覆って配設する。回転操作部材２１，２３を、開口窓２ａの前方に突出するボリューム軸８に対してカバー１５，１７の並び方向にずれている各カバー１５，１７の中央部に回転可能に配設する。回転伝動手段３２で、ボリューム軸８とこれに対して中央部がずれているカバー１５，１７に配設された回転操作部材２１，２３を連結して、回転操作部材２１，２３の回転をボリューム軸８に伝えるようにしたことを特徴としている。【選択図】図３
2011154871.tif 000002
【特許請求の範囲】
【請求項１】
開口窓を有した取付け枠と；
この取付け枠の前方に突出するボリューム軸を有して前記取付け枠の裏側に取付けられた複数の回転式ボリュームと；
前記各ボリュームの外形より大きく形成されていて、前記開口窓に対向しかつ前記ボリュームを個別に覆って配設された複数のカバーであって、これらカバーの中央部が前記ボリューム軸に対して前記カバーの並び方向にずれている前記カバーと；
これらカバーの中央部の夫々に回転可能に配設された回転操作部材と；
前記ボリューム軸とこれに対して前記中央部がずれている前記カバーに配設された前記回転操作部材を連結して設けられ、前記回転操作部材の回転を前記ボリューム軸に伝える回転伝動手段と；
を具備することを特徴とする調光器。
【請求項２】
前記回転伝動手段が、前記ボリューム軸の先端部に設けられた受動歯車部と、前記回転操作部材の中央部から裏側に突設された操作軸と、この操作軸の先端部に設けられて前記受動歯車部に直接又は間接的に回転を伝える駆動歯車部と、を備えていることを特徴とする請求項１に記載の調光器。
【請求項３】
前記複数のボリューム間に、他のボリュームとこの他のボリュームを覆った他のカバーが配設されていて、
前記他のボリュームが有したボリューム軸の先端部及び前記複数のボリュームが有した前記ボリューム軸の先端部が、これら先端部を端面から見た形状において非円形をなしているとともに、前記各先端部に前記受動歯車部が取付け可能であり、
前記他のカバーの中央部に配設された他の回転操作部材が有した操作軸の先端部及び前記複数のボリュームが有した前記ボリューム軸の先端部に、夫々前記駆動歯車部が取付けられており、
前記他の回転操作部材が有した操作軸及び前記複数のボリュームが有した前記操作軸が、それらの先端面に開放して前記各ボリューム軸の先端部に嵌合可能な連結穴を有し、この連結穴の少なくとも奥部が前記各ボリューム軸の先端部に見合った非円形の穴部からなることを特徴とする請求項２に記載の調光器。
【発明の詳細な説明】
【技術分野】
【０００１】
本発明は、複数の調光用のボリュームを個別に操作する複数の回転操作部材を備える調光装置に関する。
【背景技術】
【０００２】
埋め込み型配線器具用の取付け枠の枠開口窓が、調光設定器のケースを、このケース前面が枠開口窓から露出する形で、最大で三個まで配設できる大きさに形成されているとともに、取付け枠の前面を覆った化粧プレートのプレート開口窓の大きさを、前記ケースの数に応じて設定し、取付け枠に調光設定器のケースを例えば三個取付け、各調光設定器を個別に操作するための操作摘子を調光設定器に夫々取付けた調光器が、従来技術として知られている（例えば、特許文献１参照）。
【０００３】
この特許文献１の調光器では、各調光設定器が回転式のボリュームを備え、このボリュームの前方に突出された操作軸に、操作摘子が嵌合して取付けられている。操作軸と操作摘子は同軸上に配設されていて、操作摘子を回転操作してボリュームが操作されることにより、調光設定器に電気的に接続された照明負荷の調光レベルが調節されるようになっている。
【０００４】
又、埋め込み型配線器具用のサポートに、スイッチ本体を三個並べて取付けるとともに、枠状の取付けプレートを取付け、更に、取付けプレートの内側に各スイッチ本体の操作部となるワイドタイプのスイッチカバーを三個取付けて、壁スイッチとして構成されるスイッチ装置が、従来知られている（例えば、特許文献２参照。）。
【０００５】
このスイッチ装置が備える各スイッチカバーは、それによってオンオフ操作されるスイッチ本体の外形より大きく形成されている。こうしたワイドタイプのスイッチカバーを備えたことによって、スイッチ本体をオンオフするための操作性を向上できる。
【先行技術文献】
【特許文献】
【０００６】
【特許文献１】特許第３７００３２９号公報（段落0016、0024、0037、0038、図１、図６、図１８）
【特許文献２】特開２００７−３１１１１０号公報（段落0004、0019、0020、0035-0037、図１−図４、図８）
【発明の概要】
【発明が解決しようとする課題】
【０００７】
特許文献１に記載の調光器のボリュームを回転操作する回転式の操作摘子は、調光設定器の外形よりも小さく、この調光設定器の操作軸に取付けられている。この調光器では、各操作軸の軸間距離が各調光設定器の配置にしたがって制限されている条件下で、三個の操作摘子のうちの一つを摘んで回転操作する際に、それに隣接した他の操作摘子に前記一つの操作摘を摘んだ手指が干渉しないように、各操作摘子の大きさが小径に制限されていている。そのため、隣接する操作摘子間に十分な間隙を確保されるにも拘らず、ボリュームの操作性がよくない、という課題がある。
【０００８】
又、特許文献２に記載のスイッチ装置は、既述のようにワイドタイプのスイッチカバーを備えるので、スイッチのオンオフ操作が容易である。
【０００９】
そこで、本考案者は、特許文献２に記載のワイドタイプのカバーを、特許文献１の調光器に適用して各調光設定器に対応して設けるとともに、これらカバーの中央部に回転式の操作摘子を配設することで、隣接する操作摘子間の間隔を大きく確保しつつ各操作摘子を大径化できる調光器を着想するに至った。しかし、その実現については、なお解決すべき以下の課題があることが分かった。
【００１０】
すなわち、複数例えば三個の調光設定器の配置は変わらないので、隣接した操作摘子の間隔が大きく確保される反面で、中央位置の調光設定器の上下に隣接した他の二つの調光設定器の操作軸の位置と、これら二つの調光設定器を覆った上下二つのカバーの中央位置とが上下方向にずれてしまう。こうしたオフセット（ずれ）により、上下のカバーの中央位置に配設される操作摘子で、これらに対応した上下の調光設定器の操作軸を回転操作することができない、という課題がある。
【００１１】
こうしたオフセットを回避するために、各操作摘子をこれらに対応した調光設定器の操作軸に直結した構成を採用する場合、特許文献１の課題がそのまま踏襲されることになる。それだけではなく、上下の調光設定器を覆って設けられた上下のカバーに対し、その中央部から上方又は下方にずれた位置に操作摘子が配設されるために、ワイドタイプのカバーに対する操作摘子の配置がアンバランスとなって調光器の外観上好ましくない、という課題がある。
【００１２】
したがって、本発明の目的は、優れた外観を呈し、かつ、調光率を設定する複数のボリュームを個別に覆うカバーに夫々配設された回転操作部材の操作性を向上できる調光器を提供することにある。
【課題を解決するための手段】
【００１３】
前記課題を解決するために、請求項１の発明は、開口窓を有した取付け枠と；この取付け枠の前方に突出するボリューム軸を有して前記取付け枠の裏側に取付けられた複数の回転式ボリュームと；前記ボリュームの外形より大きく形成されていて、前記開口窓に対向しかつ前記ボリュームを個別に覆って配設された複数のカバーであって、これらカバーの中央部が前記ボリューム軸に対して前記カバーの並び方向にずれている前記カバーと；これらカバーの中央部の夫々に回転可能に配設された回転操作部材と；前記ボリューム軸とこれに対して前記中央部がずれている前記カバーに配設された前記回転操作部材を連結して設けられ、前記回転操作部材の回転を前記ボリューム軸に伝える回転伝動手段と；を具備することを特徴としている。
【００１４】
この発明で、取付け枠は金属又は合成樹脂で形成でき、又、各カバーは合成樹脂製で形成することが好ましい。この発明で、カバーの中央部とは、四角形のカバーの対角線の交点を含みその近傍の領域を指している。この発明で、回転式ボリュームとは、そのボリューム軸が回転されることによって、抵抗値を変えて調光率を調節するように構成されたボリュームを指している。この発明で、回転操作部材は、作業者の手指で摘んで回転されるものでも、端面を有し、この面に作業者の手の腹を接触させた状態で回転されるものであっても差し支えない。この発明で、回転伝動手段として、例えば歯車伝動機構又は巻き掛け伝動機構等を用いることができる。又、この発明は、取付け枠の開口窓の内側にボリューム及びカバーの夫々が二個又は三個配設される調光器等に適用できる。
【００１５】
請求項１の発明では、各ボリュームを個別に回転操作するための回転操作部材の各カバーに対する配置にアンバランスがないので、外観上好ましい。更に、カバーの中央部に配設された回転操作部材と、この部材により操作されるボリュームのボリューム軸とが複数のカバーの並び方向にずれているので、回転操作部材を小径化することなく、隣接する回転操作部材間の相互間隔が大きく確保されて、各回転操作部材の操作性を向上できる。しかも、回転操作部材が回転された場合に、その回転を回転伝動手段によりボリューム軸に伝動できるので、前記ずれに拘らずボリューム毎にその調光率を設定することができる。
【００１６】
請求項２の発明は、請求項１の発明において、前記回転伝動手段が、前記ボリューム軸の先端部に設けられた受動歯車部と、前記回転操作部材の中央部から裏側に突設された操作軸と、この操作軸の先端部に設けられて前記受動歯車部に直接又は間接的に回転を伝える駆動歯車部と、を備えていることを特徴としている。
【００１７】
この発明で、受動歯車部に直接に回転を伝える駆動歯車部とは、受動歯車部及び駆動歯車部が共に歯車である場合、受動歯車部が噛み合っている歯車を指している。又、受動歯車部に間接的に回転を伝える駆動歯車部とは、受動歯車部及び駆動歯車部が共に歯車である場合、受動歯車に中間歯車を経由して連結されている歯車を指しており、受動歯車部及び駆動歯車部が共に歯付きプーリである場合、これらのプーリにわたってタイミングベルトが掛け渡されていて、このベルトを介して受動歯車部をなす歯付きプーリに連結されている歯付きプーリを指している。
【００１８】
請求項２の発明では、回転伝動手段が受動歯車部と駆動歯車部を備えているので、回転操作部材の回転を正確にボリューム軸に伝えてボリュームの抵抗値を変えることができる。これとともに、回転操作部材の中央部から裏側に突設された操作軸に受動歯車部を設けたので、この受動歯車部の径が、駆動歯車部の径に対して大幅に異なることがない。それに伴い、回転操作部材の回転量とボリューム軸の回転量が大きく隔たらないので、操作性がよい。
【００１９】
請求項３の発明は、請求項２の発明において、前記複数のボリューム間に、他のボリュームとこの他のボリュームを覆った他のカバーが配設されていて、前記他のボリュームが有したボリューム軸の先端部及び前記複数のボリュームが有した前記ボリューム軸の先端部が、これら先端部を端面から見た形状において非円形をなしているとともに、前記各ボリューム軸の先端部に前記受動歯車部が取付け可能であり、前記他のカバーの中央部に配設された他の回転操作部材が有した操作軸の先端部及び前記複数のボリュームが有した前記ボリューム軸の先端部に、夫々前記駆動歯車部が設けられており、前記他の回転操作部材が有した操作軸及び前記複数のボリュームが有した前記操作軸が、それらの先端面に開放して前記各ボリューム軸の先端部に嵌合可能な連結穴を有し、この連結穴が前記各ボリューム軸の先端部に見合った非円形の穴からなることを特徴としている。
【００２０】
この発明で、非円形の形状として、代表的に端面形状がＤの字となっている態様を挙げることができるが、端面形状が多角形状の態様であっても、歯車形状の態様であっても差し支えない。
【００２１】
請求項３の発明は、各ボリュームと、これらを個別に覆ったカバーと、これらカバーに個別に配設された回転操作部材を備えた調光器にあって、各回転操作部材の操作軸が、その先端部に駆動歯車部と非円形の連結穴を有し、各ボリュームのボリューム軸の先端部が非円形で、この先端部に受動歯車を取付け可能な構成を備えている。そのため、前記他の回転操作部材の操作軸を他のボリュームのボリューム軸の先端部に嵌合させて、前記他の回転操作部材で前記他のボリュームを回転操作することができる。又、それ以外の回転操作部材の操作軸とこれらに対応する複数のボリュームのボリューム軸は、ボリューム軸に取付けられた受動歯車部を含んだ回転伝動手段で連結されているので、前記複数の回転操作部材でそれらに対応するボリュームを個別に回転操作することができる。したがって、各回転操作部材をそれらに対応するボリュームのボリューム軸に対する共通部品とできる。
【発明の効果】
【００２２】
請求項１，２の発明によれば、優れた外観を呈し、かつ、調光率を設定する複数のボリュームを個別に覆うカバーに夫々配設された回転操作部材の操作性を向上できる、という効果がある。
【００２３】
請求項２の発明によれば、請求項１の発明において、更に、回転操作部材の回転を正確にボリューム軸に伝えてボリュームの抵抗値を変えることができるとともに、回転操作部材の回転量とボリューム軸の回転量が大きく隔たらずに操作性を向上できる、という効果がある。
【００２４】
請求項３の発明によれば、請求項２の発明において、更に、各回転操作部材をそれらに対応するボリュームのボリューム軸に対する共通部品とできる、という効果がある。
【図面の簡単な説明】
【００２５】
【図１】本発明の第１実施形態に係る調光器を示す略正面図である。
【図２】図１中矢印Ｆ２−Ｆ２線に沿って示す断面図である。
【図３】図１中矢印Ｆ３−Ｆ３線に沿って示す断面図である。
【図４】図３中矢印Ｆ４−Ｆ４線に沿って示す断面図である。
【図５】図３中矢印Ｆ５−Ｆ５線に沿って示す断面図である。
【図６】本発明の第２実施形態に係る調光器を示す略正面図である。
【発明を実施するための形態】
【００２６】
以下、本発明の第１実施形態について、図１〜図５を参照して詳細に説明する。
【００２７】
図１〜図３中符号１は図示しない建物の壁体に屋内に臨んで設置される調光器を示している。この調光器１は、取付け枠２と、三個のボリューム４〜６と、取付けプレート１１と、カバー枠１３と、複数のカバー１５〜１７と、複数の回転操作部材２１〜２３と、複数の回転伝動手段３２を具備している。
【００２８】
取付け枠２は、例えば金属製であり、長方形の枠状に形成されていて、長方形で上下方向に長い開口窓２ａを有している。
【００２９】
各ボリューム４〜６は、同一構成であって、図２及び図３に示すように図示しない調光設定器が内蔵された電気絶縁性のケース７、及びこのケース７から突出されたボリューム軸８を有していて、ボリューム４〜６は、前記屋内に配設された三系統の照明負荷の調光率を個別に調節するために用いられている。なお、照明負荷は、白熱ランプ又は蛍光ランプ或いはＬＥＤランプのいずれであってもよい。
【００３０】
これらボリューム４〜６は上下方向に一定間隔を置いて取付け枠２の裏側に取付けられていて、それらのボリューム軸８は開口窓２ａを通って取付け枠２の前方に突出されている。なお、以下の説明で、各ボリューム４〜６を区別する必要がある場合、最も上側に配置されたボリューム４を上側ボリューム４と称し、最も下側に配置されたボリューム６を下側ボリューム６と称し、これらの間に配置されたボリューム５を中間ボリューム５と称し、又、本発明で、上側ボリューム４及び下側ボリューム６は複数のボリュームに該当し、中間ボリューム５は他のボリュームに該当する。
【００３１】
各ボリューム軸８は、前記図示しない調光設定器に接続されていて、回転可能であり、この軸が回転されることにより、調光設定器の抵抗値が変えられて照明負荷の調光率が調節されるようになっている。これらボリューム軸８の先端部（前端部）は、その周部の一部が切除されていて、それにより、各ボリューム軸８の先端部を端面から見た形状は非円形例えばＤの字形をなしている。そのため、前記端面に平行なボリューム軸８の先端部の断面形状は、図４で代表して示すようにＤの字形である。各ボリューム軸８には後述の受動車部３１が選択的に取付け可能である。
【００３２】
取付けプレート１１は、取付け枠２に見合った大きさの枠形状をなして例えば合成樹脂により形成されていて、図２及び図３に示すように取付け枠２の周部に、その前側から固定されている。取付けプレート１１は、その厚み方向に貫通する係合孔１１ａを複数有している。
【００３３】
カバー枠１３は、合成樹脂製であって、取付けプレート１１にこれを覆って取付けられている。この取付けは、図２及び図３に示すようにカバー枠１３の裏面に一体に突設された複数の係合突起１３ａを係合孔１１ａに通して、これら係合孔１１ａの縁に引掛けることでなされている。
【００３４】
カバー１５〜１７はボリューム４〜６と同数用いられている。これらカバー１５〜１７は、いずれも合成樹脂により、同じ大きさでかつボリューム４〜６の外形より大きい四角形状に形成されていて、同一構成である。各カバー１５〜１７は、図１に示すようにカバー枠１３の内側に上下方向に並べて配設されている。
【００３５】
なお、以下の説明で、各カバー１５〜１７を区別する必要がある場合、最も上側に配置されたカバー１５を上側カバー１５と称する。同様に、最も下側に配置されたカバー１７を下側カバー１７と称し、これらの間に配置されたカバー１６を中間カバー１６と称する。又、本発明で、上側カバー１５及び下側カバー１７は複数のカバーに該当し、中間カバー１６は他のカバーに該当する。
【００３６】
中間カバー１６により中間ボリューム５がその前側から覆われている。詳しくは、図１に示すように中間ボリューム５は、その中心（ボリューム軸８の中心軸線）を、中間カバー１６の中心、つまり、中間カバー１６を正面から見てこのカバー１６の対角線が交叉する点に略一致させて上下に偏りが無い状態に中間カバー１６で覆われている。
【００３７】
上側カバー１５により上側ボリューム４がその前側から覆われている。詳しくは、図１に示すように上側ボリューム４は、上側カバー１５の中心、つまり、上側カバー１５を正面から見てこのカバー１５の対角線が交叉する点に対して、下側に偏った状態に上側カバー１５で覆されている。それにより、上側ボリューム４のボリューム軸８に対して上側カバー１５の中心部が上側に遠ざかって位置されており、したがって、上下に隣接する後述の回転操作部材２１，２２間の離間距離が大きく確保されている。
【００３８】
同様に、下側カバー１７により下側ボリューム６がその前側から覆われている。詳しくは、図１に示すように下側ボリューム６は、下側カバー１７の中心、つまり、下側カバー１７を正面から見てこのカバー１７の対角線が交叉する点に対して、上側に偏った状態に下側カバー１７で覆われている。それにより、下側ボリューム６のボリューム軸８に対して下側カバー１７の中心部が上側に遠ざかって位置されており、したがって、上下に隣接する後述の回転操作部材２２，２３間の離間距離が大きく確保されている。
【００３９】
図２で代表して示すように各カバー１５〜１７は、その幅方向両側から互に遠ざかる方向に張り出した側縁１８をカバー枠１３の開口部側の裏面に支持させることにより、前方へ外れないように設けられている。図３に示すように各カバー１５〜１７は通孔１９を有している。これらの通孔１９は円形であり、各通孔１９の中心は、各カバー１５〜１７を正面から見て個々のカバー１５〜１７の対角線が交叉する点に略一致している。
【００４０】
図１〜図３に示すように各カバー１５〜１７の中央部に夫々回転操作部材２１〜２３が回転可能に配設されている。これら回転操作部材２１〜２３は、同一構成であって、摘み部２４と、係合縁２５と、操作軸２６を有している。摘み部２４は前端が閉じられた円筒状をなしていて、後端は開口されている。係合縁２５は、摘み部２４の後端開口縁から外側に張り出している。操作軸２６は、摘み部２４の前端閉じ壁の中央部、言い換えれば、回転操作部材２１〜２３の夫々の中央部から裏側に突設されている。
【００４１】
各回転操作部材２１〜２３は、その摘み部２４を通孔１９に貫通させるとともに、係合縁２５を通孔１９の縁部裏面に係合させて、各カバー１５〜１７の中央部から前方に突出されている。こうした配設された回転操作部材２１〜２３は、各カバー１５〜１７の中央部に配設されていて、その操作軸２６の中心軸線は、正面から見て個々のカバー１５〜１７の対角線が交叉する点に略一致している。
【００４２】
図２及び図３に示すように回転操作部材２１〜２３の操作軸２６は、その突出方向の先端部に駆動歯車部２７と連結穴２９を有している。駆動歯車部２７は操作軸２６の先端部外周に歯部を一体に形成して設けられているが、操作軸２６とは別に成形された歯車を操作軸２６の先端部外周に嵌着することで設けても良い。連結穴２９は操作軸２６の先端面に開放している。連結穴２９はボリューム軸８に嵌合可能である。この連結穴２９の少なくとも奥部は、ボリューム軸８の先端部に見合った非円形の穴部で形成されている。
【００４３】
上下方向の中間位置に配設された回転操作部材２２の連結穴２９は、図２、図３、及び図５に示すように中間ボリューム５のボリューム軸８に回り止めされた状態に嵌合されている。この嵌合により、回転操作部材２２の回転がボリューム軸８に直接伝わるようになっている。
【００４４】
図３に示すように上側ボリューム４及び下側ボリューム６のボリューム軸８の先端部には夫々受動歯車部３１が嵌合して固定されている。上側ボリューム４のボリューム軸８に固定された受動歯車部３１は、最も上側に配設された回転操作部材２１の操作軸２６の先端部に設けられた駆動歯車部２７に噛み合わされている。同様に、前記下側ボリューム６のボリューム軸８に固定された受動歯車部３１は、最も下側に配設された回転操作部材２３の操作軸２６の先端部に設けられた駆動歯車部２７に噛み合わされている。
【００４５】
互に噛み合わされた駆動歯車部２７と受動歯車部３１とは回転伝動手段３２を形成している。上側ボリューム４と下側ボリューム６は上下対称に設けられている。同様に、上側の回転操作部材２１の回転を上側ボリューム４に伝える上側の回転伝動手段３２と、下側の回転操作部材２３の回転を下側ボリューム６に伝える下側の回転伝動手段３２も、上下対称に設けられている。
【００４６】
前記構成の調光器１では、各ボリューム４〜６を個別に回転操作するための回転操作部材２１〜２３が、各カバー１５〜１７の夫々の中央部に配設されている。そのため、図１に示すように各カバー１５〜１７に対する回転操作部材２１〜２３の配置にアンバランスがなく、調光器１の外観上好ましい。
【００４７】
更に、上側カバー１５の中央部に配設された回転操作部材２１は、この回転操作部材２１により操作される上側ボリューム４のボリューム軸８に対して、取付け枠２の長手方向、つまり、各カバー１５〜１７の並び方向でかつ上側にずれている。同様に、下側カバー１７の中央部に配設された回転操作部材２３は、この回転操作部材２３により操作される下側ボリューム６のボリューム軸８に対して、取付け枠２の長手方向、つまり、各カバー１５〜１７の並び方向でかつ下側にずれている。
【００４８】
これにより、各ボリューム４〜６の配設ピッチに拘らずに、上下に隣接する回転操作部材２１，２２間の相互間隔、及び回転操作部材２２，２３間の相互間隔を大きく確保できる。それに伴い、回転操作部材２１〜２３の回転操作において、上下に隣接された回転操作部材に使用者の手指が干渉し難くなる。これとともに、各回転操作部材２１〜２３を大径化することが可能である。したがって、各回転操作部材２１〜２３の操作性を向上できる。
【００４９】
又、回転操作部材２１〜２３を回転することにより図示しない照明負荷の調光率を調節できる。すなわち、上側の回転操作部材２１が回転操作された場合、その操作軸２６の駆動歯車部２７と上側ボリューム４のボリューム軸８の受動歯車部３１とがなした回転伝動手段３２により、回転操作部材２１の回転が上側ボリューム４のボリューム軸８に伝わって、このボリューム軸８が回転操作されるに伴い、上側ボリューム４の調光設定器の抵抗値が変えられる。そのため、上側ボリューム４に電気的に接続されている照明負荷の調光率が調節される。
【００５０】
同様に、下側の回転操作部材２３が回転操作された場合、その操作軸２６の駆動歯車部２７と下側ボリューム６のボリューム軸８の受動歯車部３１とがなした回転伝動手段３２により、回転操作部材２３の回転が下側ボリューム６のボリューム軸８に伝わって、このボリューム軸８が回転操作されるに伴い、下側ボリューム６の調光設定器の抵抗値が変えられる。そのため、下側ボリューム６に電気的に接続されている照明負荷の調光率が調節される。
【００５１】
又、上下の回転操作部材２１，２３間に配置された中間の回転操作部材２２が回転操作された場合、その操作軸２６と中間ボリューム５のボリューム軸８とが相対的に回り止めされた状態に直接嵌合されているので、回転操作部材２２の回転が中間ボリューム５のボリューム軸８に伝わって、このボリューム軸８が回転操作されるに伴い、中間ボリューム５の調光設定器の抵抗値が変えられる。そのため、中間ボリューム５に電気的に接続されている照明負荷の調光率が調節される。
【００５２】
以上のように前記構成の調光器１は、優れた外観を呈し、かつ、調光率を設定する複数のボリューム４〜６を個別に覆ったカバー１５〜１７に夫々配設された回転操作部材２１〜２３の操作性を向上することができる。
【００５３】
更に、前記回転伝動手段３２は互に噛み合った受動歯車部３１と駆動歯車部２７を備えているので、回転伝動手段３２での回転の伝動に滑りがなく、そのため、回転操作部材２１，２３の回転をボリューム４，６のボリューム軸８に正確に伝えてボリューム４，６の抵抗値を変えることができる。
【００５４】
しかも、受動歯車部３１が回転操作部材２１，２３の夫々の中央部から裏側に突設された操作軸２６に設けられているので、受動歯車部３１の径が、駆動歯車部２７の径に対して大幅に異なることがない。それに伴い、回転操作部材２１，２３の回転量とボリューム４，６ボリューム軸８の回転量が大きく隔たらないので、回転操作部材２１，２３の操作性がよい。
【００５５】
又、既述のように前記調光器１は、各ボリューム４〜６と、これらを個別に覆ったカバー１５〜１７と、これらカバー１５〜１７に個別に配設された回転操作部材２１〜２３を備えていて、各回転操作部材２１〜２３の操作軸２６が、その先端部に駆動歯車部２７と非円形の連結穴２９を有し、各ボリューム４〜６のボリューム軸８の先端部が非円形で、この先端部に受動歯車部３１を取付け可能である。
【００５６】
そのため、中間位置の回転操作部材２２の操作軸２６を中間ボリューム５のボリューム軸８の先端部に嵌合させて、この中間ボリューム５を回転操作部材２２で直接回転操作することができる。又、上下のボリューム４，６のボリューム軸８には、受動歯車部３１が取付けられている。そして、これら上下のボリューム４，６のボリューム軸８と上下の回転操作部材２１，２３の操作軸２６とは、受動歯車部３１を含んだ回転伝動手段３２で連結されているので、上下の回転操作部材２１，２３でそれらに対応する上下のボリューム４，６を個別に回転操作することができる。
【００５７】
したがって、各回転操作部材２１〜２３をそれらに対応する各ボリューム４〜６のボリューム軸８に対する共通部品とできる。
【００５８】
図６は本発明の第２実施形態を示している。第２実施形態は以下説明する事項以外は、図６に示されない構成を含めて第１実施形態と同じ構成である。そのため、第１実施形態と同じ構成については第１実施形態と同じ符号を付してその説明を省略する。
【００５９】
第２実施形態では、カバーとして、上下に隣接し、かつ、同一構成の上側カバー１５と下側カバー１７のみが使用されているとともに、それに応じて、回転操作部材として、上下の回転操作部材２１，２３のみが使用されている。上下のカバー１５，１７は第１実施形態で採用したカバーよりも上下方向に長く形成されている。
【００６０】
そのため、上側カバー１５で覆われた上側ボリューム４のボリューム軸８（図３参照）に設けられた受動歯車部３１に対して、上部の回転操作部材２１の操作軸２６（図３参照）に設けられた駆動歯車部２７は、第１実施形態とは逆に下側に配設されて、受動歯車部３１に噛み合わされている。同様に、下側カバー１７で覆われた下側ボリューム６のボリューム軸８（図３参照）に設けられた受動歯車部３１に対して、下部の回転操作部材２３の操作軸２６（図３参照）に設けられた駆動歯車部２７は、第１実施形態とは逆に上側に配設されて、受動歯車部３１に噛み合わされている。なお、図６中二点鎖線で示された中間ボリューム５は、省略されるか、又は取付け枠（図２，３参照）に取付けられていても使用されない。
【００６１】
このような上側ボリューム４に対する回転操作部材２１の配置及び下側ボリューム６に対する回転操作部材２３の配置によれば、上下に隣接したカバー１５，１７が縦長でありそれらの中心部間距離が長い。そのため、上下に隣接する回転操作部材２１，２３が互に近づけられるように配設されるにも拘らず、回転操作部材２１，２３間の離間距離を十分長く確保できるとともに、それに伴い回転操作部材２１，２３の大径化を実現できる。
【００６２】
以上説明した事項以外は第１実施形態と同じである。したがって、この第２実施形態でも、第１実施形態で既に説明した理由と同様な理由によって本発明の課題を解決することができる。
【符号の説明】
【００６３】
１…調光器、２…取付け枠、２ａ…開口窓、４〜６…ボリューム、８…ボリューム軸、１５〜１７…カバー、２１〜２３…回転操作部材、２６…操作軸、２７…駆動歯車部、２９…転結穴、３１…受動歯車部、３２…回転伝動手段
【図１】
2011154871.tif 000003
【図２】
2011154871.tif 000004
【図３】
2011154871.tif 000005
【図４】
2011154871.tif 000006
【図５】
2011154871.tif 000007
【図６】
2011154871.tif 000008